(57)【要約】【課題】シートクッションのシート前方への移動量の低減とシートクッションのサイズの確保とを両立することが可能であり、しかも、折り畳み形態とするための操作性に優れる車両用シートを提供する。【解決手段】シートバック１４は、第二リンク部材３６及び第三リンク部材３８のシート後方側への回動によって、その回動中心（第二リンク部材３６及び第三リンク部材３８との連結部）のシート後方への移動を伴いながら前倒しされる。従って、車両用シート１０を折り畳み形態とするために、シートクッション１２の前方への移動量を大きくしたり、シートクッション１２の前後長を短くしたりすることを防止できる。また、シートバック１４を前倒ししたことに連動してシートクッション１２をシート前方へ移動する連動機構を備える。従って、車両用シート１０を折り畳み形態とするためには、シートバック１４の前倒し操作を行うだけで良い。【選択図】図１
2007313977.tif 000002
【特許請求の範囲】
【請求項１】
車体フロア部に支持部材を介してシート前方へ移動自在に支持されたシートクッションと、
一端側が前記車体フロア部に回動自在に連結されたリンク部材の他端側が回動自在に連結され、起立姿勢と、前記リンク部材の前記車体フロア部との連結部を支点としたシート後方側への回動を伴いながらシート前方へ前倒しされた前倒し姿勢とを取り得ると共に、前倒し時にシート前方へ移動した前記シートバックと隣り合わせで連なる面を形成可能なシートバックと、
前記シートバックの前倒し動作に連動して前記シートクッションをシート前方へ移動させる連動機構と、
を備えたことを特徴とする車両用シート。
【請求項２】
前記連動機構は、
前記シートクッションをシート前方へ付勢する付勢部材と、
前記リンク部材の前記車体フロア部との連結部よりもシート後方側に配置されたプーリと、
前記プーリに巻き掛けられて前記シートクッションと前記リンク部材とに連結された連結ワイヤと、
を有して構成されていることを特徴とする請求項１に記載の車両用シート。
【請求項３】
前記シートクッション及び前記シートバックで形成される前記連なる面上に展開可能な展開ボードを備えたことを特徴とする請求項１又は請求項２に記載の車両用シート。
【発明の詳細な説明】
【技術分野】
【０００１】
本発明は、車両用シートに係り、特に、シートクッションをシート前方に移動させると共にシートバックを前倒しさせて折り畳み形態とすることが可能な車両シートに関する。
【背景技術】
【０００２】
この種の車両用シートとしては、次のものが知られている（例えば、特許文献１参照）。例えば、特許文献１に記載の例では、シートバックの下方部がヒンジブラケットを介してボディに回動自在に支持されており、シートクッションの前方部が第一リンクによりボディに回動自在に支持されている。また、シートバックとシートクッションの後方部とが第二リンクにより連結されている。そして、シートバックをシートクッションの座面に向けて前倒しすると、第一リンク、および第二リンクがシート前方側へ回動して、シートクッションがシート前方部のボディ床面に移動すると共にシートバックが折り畳まれて、シートバックの裏面がリヤデッキ面に続く水平な荷床面を形成するように構成されている。
【特許文献１】特開２００３−２５２０９７号公報
【特許文献２】特開２００３−２２０８６６号公報
【発明の開示】
【発明が解決しようとする課題】
【０００３】
しかしながら、特許文献１に記載の例では、シートバックを前倒してシートクッションとシートバックとが前後に隣り合わせで連なる平面を形成するためには、シートクッションの前方への移動量を大きくしたり、シートクッションの前後長を短くしたりする必要がある。また、この種の車両用シートでは、車両用シートを折り畳み形態とするための操作性に優れることが望ましい。
【０００４】
本発明は、上記事情に鑑みてなされたものであって、その目的は、シートクッションのシート前方への移動量の低減とシートクッションのサイズの確保とを両立することが可能であり、しかも、折り畳み形態とするための操作性に優れる車両用シートを提供することにある。
【課題を解決するための手段】
【０００５】
前記課題を解決するために、請求項１に記載の車両用シートは、車体フロア部に支持部材を介してシート前方へ移動自在に支持されたシートクッションと、一端側が前記車体フロア部に回動自在に連結されたリンク部材の他端側が回動自在に連結され、起立姿勢と、前記リンク部材の前記車体フロア部との連結部を支点としたシート後方側への回動を伴いながらシート前方へ前倒しされた前倒し姿勢とを取り得ると共に、前倒し時にシート前方へ移動した前記シートバックと隣り合わせで連なる面を形成可能なシートバックと、前記シートバックの前倒し動作に連動して前記シートクッションをシート前方へ移動させる連動機構と、を備えたことを特徴とする。
【０００６】
請求項１に記載の車両用シートでは、一端側が車体フロア部に回動自在に連結されたリンク部材の他端側がシートバックに回動自在に連結されており、シートバックは、このリンク部材の車体フロア部との連結部を支点としたシート後方側への回動を伴いながらシート前方へ前倒しされる構成である。つまり、シートバックは、リンク部材のシート後方側への回動によって、その回動中心（リンク部材との連結部）のシート後方への移動を伴いながら前倒しされる。従って、シートバックを前倒してシートクッションとシートバックとを隣り合わせで連なる面とするために、シートクッションの前方への移動量を大きくしたり、シートクッションの前後長を短くしたりすることを防止できる。これにより、シートクッションのシート前方への移動量の低減とシートクッションのサイズの確保とを両立することが可能となる。
【０００７】
しかも、請求項１に記載の車両用シートでは、シートバックを前倒ししたことに連動して連動機構が作動し、この連動機構によりシートクッションがシート前方へ移動される。従って、車両用シートを折り畳み形態とするためには、シートバックの前倒し操作を行うだけで良く、シートバックとシートクッションの両方を操作する必要が無い。このように、請求項１に記載の車両用シートでは、車両用シートを折り畳み形態とするための操作性に優れる。
【０００８】
請求項２に記載の車両用シートは、請求項１に記載の車両用シートにおいて、前記連動機構は、前記シートクッションをシート前方へ付勢する付勢部材と、前記リンク部材の前記車体フロア部との連結部よりもシート後方側に配置されたプーリと、前記プーリに巻き掛けられて前記シートクッションと前記リンク部材とに連結された連結ワイヤと、を有して構成されていることを特徴とする。
【０００９】
請求項２に記載の車両用シートでは、シートクッションが付勢部材によりシート前方へ付勢されている。また、シートクッションとリンク部材とには、連結ワイヤがプーリに巻き掛けられた状態で連結されている。従って、車両用シートが着座形態にあるとき、すなわち、シートバックが起立状態でリンク部材もシート前方へ位置しているときには、このリンク部材に連結された連結ワイヤの引っ張り力がプーリを介してシートクッションに伝達され、付勢部材の付勢力に抗してシートクッションがシート後方側に位置される。一方、この状態から、シートバックをシート前方へ前倒しさせると、このときのリンク部材の回動により連結ワイヤが緩むことで、この連結ワイヤの引っ張り力が減少する。そして、シートバックが付勢部材の付勢力によりシート前方へ移動されて、車両用シートが折り畳み形態となる。
【００１０】
また、このようにして車両用シートが折り畳み形態にある状態から、シートバックをシート後方側へ回動させて起立させると、リンク部材の回動に伴って連結ワイヤが引っ張られてシートクッションがシート後方側へ移動し、車両用シートが着座形態となる。このように、請求項２に記載の車両用シートでは、シートバックの回動に連動してシートバックを前後させることができ、折り畳み形態と着座形態との切替操作を容易に行うことが可能である。
【００１１】
請求項３に記載の車両用シートは、請求項１又は請求項２に記載の車両用シートにおいて、前記シートクッション及び前記シートバックで形成される前記連なる面上に展開可能な展開ボードを備えたことを特徴とする。
【００１２】
請求項３に記載の車両用シートでは、シートバックを前倒しして車両用シートを折り畳み形態としたときに、シートクッション及びシートバックで形成される連なる面上に展開ボードを展開することができる。これにより、よりフラットで安定した荷室スペースを確保することが可能となる。
【発明の効果】
【００１３】
以上詳述したように、本発明によれば、シートクッションのシート前方への移動量の低減とシートクッションのサイズの確保とを両立することが可能であり、しかも、折り畳み形態とするための操作性にも優れたものとすることが可能である。
【発明を実施するための最良の形態】
【００１４】
はじめに、図１乃至図５を参照しながら、本発明の一実施形態に係る車両用シート１０の構成について説明する。
【００１５】
図１乃至図５には、本発明の一実施形態に係る車両用シート１０の構成が示されている。なお、これらの図において、矢印Ｆｒは、車両前後方向前側、矢印Ｕｐは、車両上下方向上側、矢印Ｏｕｔは、車両幅方向外側をそれぞれ示している。
【００１６】
本発明の一実施形態に係る車両用シート１０は、例えば、図１に示されるように、車両の荷室７２に隣接して配置される後部座席として好適に用いられるものである。この車両用シート１０は、各図に示されるように、シートクッション１２とシートバック１４とを備えている。
【００１７】
シートクッション１２の前方部には、第一リンク部材１６の一端側が回動自在に連結されており、この第一リンク部材１６の他端側は、車体フロア７０に一体的に設置されたフレーム部材１８の前方部に回動自在に連結されている。シートクッション１２の後方部には、車両幅方向外側に突出するピン２０が設けられており、フレーム部材１８には、シートクッション１２の側方位置にガイド部材２２が設けられている。ガイド部材２２には、車両前後方向に延びるガイド孔２４が形成されており、上述のシートクッション１２に設けられたピン２０は、ガイド部材２２のガイド孔２４に車両前後方向に移動自在に支持されている。
【００１８】
ガイド部材２２には、ロックレバー２６が回動自在に設けられており、このロックレバー２６には、ピン２０を係止可能な係止部２８が形成されている。ロックレバー２６は、図１に示される如く、フレーム部材１８に設けられたスプリング３０により常時Ｒ１方向へ付勢されると共に、フレーム部材１８に設けられたロック解除機構３２にワイヤ３４を介して接続されている。
【００１９】
ロック解除機構３２は、ロック解除レバー３２Ａを備え、このロック解除レバー３２Ａが引き操作されると、ワイヤ３４を引き寄せてロックレバー２６をＲ２方向へ回動させる構成である。また、このロック解除機構３２は、フレーム部材１８の後方部に設けられ、荷室７２側（例えば、図示しない背面ドア開口部）から手の届く位置に配置されている。
【００２０】
一方、シートバック１４の下方部には、第二リンク部材３６及び第三リンク部材３８の一端側がそれぞれ回動自在に連結されている。この第二リンク部材３６及び第三リンク部材３８の他端側は、車体フロア７０に一体的に設置されたフレーム部材１８の中央部及び後方部にそれぞれ回動自在に連結されている。
【００２１】
また、シートバック１４は、図１乃至図３に示される如く、第二リンク部材３６及び第三リンク部材３８のシート後方側（Ｒ３方向，Ｒ４方向）への回動を伴って前倒しされる。このとき、シートバック１４は、第二リンク部材３６及び第三リンク部材３８がシート後方側へ回動されることにより、その回動中心（第二リンク部材３６及び第三リンク部材３８との連結部）のシート後方への移動を伴いながら前倒しされる。
【００２２】
また、本実施形態の車両用シート１０は、上述の如く、シートバック１４が前倒しされると共にシートクッション１２がシート前方へ移動されることで、図３に示される如く折り畳み形態となり得るように構成されている。このとき、シートバック１４とシートクッション１２とは、前後に隣り合わせとなって連なる平面４０を形成するように構成されている。
【００２３】
また、本実施形態の車両用シート１０には、シートバック１４の背面に展開ボード４２が設けられている。この展開ボード４２は、二つの板材４２Ａ，４２Ｂにより構成されている。一方の板材４２Ａは、シートバック１４の背面に一体的に固定されており、他方の板材４２Ｂは、一方の板材４２Ａに連結部４４を介して連結されている。また、この二つの板材４２Ａ，４２Ｂは、略同一形状で構成されており、図１乃至図３に示される如く、シートバック１４の背面上で折り畳むことができる一方で、図４に示される如く、シートバック１４とシートクッション１２とが前後に隣り合わせとなって連なる平面４０を形成した際には、この平面４０上に展開することができるようになっている。
【００２４】
さらに、本実施形態の車両用シート１０には、上述の如く、折り畳み形態とされる際に、シートバック１４の前倒し動作に連動してシートクッション１２をシート前方へ移動させるための連動機構が設けられている。すなわち、この連動機構の構成について詳述すると、シートクッション１２の裏側には、図５に示される如く、結合ブラケット４６が一体的に固定されており、この結合ブラケット４６には、スライドワイヤ４８の一端が結合されている。このスライドワイヤ４８は、フレーム部材１８に一体的に固定されたプーリ５０を介して方向変換されて、その他端がフレーム部材１８に一端が一体的に固定されたテンションスプリング５２の他端に結合されている。そして、この構成により、シートクッション１２には、シート前方へテンションスプリング５２の引っ張り力が常時作用するようになっている。
【００２５】
一方、図１，図５に示されるように、フレーム部材１８の第三リンク部材３８との連結部よりもシート後方側には、プーリ５４が配置されている。また、図１に示されるように、第三リンク部材３８の長手方向中間部には、連結ワイヤ５６の一端が固定されている。この連結ワイヤ５６は、プーリ５４に巻き掛けられることでシート後方側からシート前方側へ方向変換されると共にシート下方へ配索され、その他端が上述の結合ブラケット４６に結合されている。そして、この構成により、シートクッション１２には、第三リンク部材３８の回動に応じてシート後方側へ連結ワイヤ５６の引っ張り力が作用するようになっている。
【００２６】
また、このとき、連結ワイヤ５６の中間部には、テンションワイヤ５８の一端が結合部６０により結合されている。このテンションワイヤ５８は、上述のプーリ５０を介して方向変換されて、その他端がフレーム部材１８に一端が一体的に固定されたテンションスプリング６２の他端に結合されている。そして、この構成により、連結ワイヤ５６の弛みが防止されるようになっている。
【００２７】
次に、本発明の一実施形態に係る車両用シート１０の動作について説明する。
【００２８】
（シートモードから荷室モードへの変換）
図１に示されるように、車両用シート１０が着座形態にあるシートモードのときに、車両用シート１０を荷室モードとして荷室７２を拡大するためには、次の如く操作する。すなわち、先ず、ロック解除機構３２のロック解除レバー３２Ａを引き操作する。このようにして、ロック解除機構３２のロック解除レバー３２Ａを引き操作すると、ロックレバー２６がワイヤ３４により引っ張られることでＲ２方向へ回動し、ロックレバー２６の係止部２８からピン２０が解除される。
【００２９】
この状態から、図２に示されるように、シートバック１４を前倒しする。このようにしてシートバック１４を前倒しすると、第三リンク部材３８のシート後方側（Ｒ４方向）への回動に伴って連結ワイヤ５６が緩み、シートクッション１２に対する連結ワイヤ５６の引っ張り力が減少する。そして、シートクッション１２がテンションスプリング５２の付勢力によりシート前方へ移動する。このとき、シートクッション１２は、第一リンク部材１６のシート前方側（Ｒ５方向）への回動を伴ってシート前方へ移動する。また、このとき、シートクッション１２の後方部は、ピン２０がガイド孔２４を移動することによってガイド部材２２に支持される。
【００３０】
このように、本実施形態の車両用シート１０では、シートバック１４の前倒し動作に連動してシートクッション１２がシート前方へ移動する。また、このとき、シートバック１４は、第二リンク部材３６及び第三リンク部材３８の車体フロア７０側の連結部を支点としたシート後方側（Ｒ３方向、Ｒ４方向）への回動を伴いながらシート前方へ前倒しされる。つまり、シートバック１４は、第二リンク部材３６及び第三リンク部材３８のシート後方側（Ｒ３方向、Ｒ４方向）への回動によって、その回動中心（第二リンク部材３６及び第三リンク部材３８との連結部）のシート後方への移動を伴いながら前倒しされる。
【００３１】
そして、この状態から、シートバック１４をさらに前倒しする。このようにして、シートバック１４をさらに前倒しすると、図３に示される如く、シートバック１４とシートクッション１２とが前後に隣り合わせとなって、車両用シート１０が折り畳み形態となる。また、このときには、シートバック１４とシートクッション１２とが前後に隣り合わせとなって連なる平面４０を形成する。
【００３２】
続いて、図４に示される如く、シートバック１４とシートクッション１２とが前後に隣り合わせとなって形成された連なる平面４０上に、展開ボード４２を展開する。これにより、車両用シート１０が荷室モードに変換されて、荷室７２が拡大されると共に、よりフラットで安定した荷室スペースが形成される。
【００３３】
（荷室モードからシートモードへの変換）
一方、上述のように、車両用シート１０が荷室モードにあるときに、車両用シート１０をシートモードへ変換するためには、次の如く操作する。すなわち、先ず、図３に示される如く、展開ボード４２をシートバック１４の背面上に折り畳み、この状態から、図２に示される如く、シートバック１４をシート後方側へ回動させる。このようして、シートバック１４をシート後方側へ回動させると、第三リンク部材３８のシート前方側（Ｒ６方向）への回動に伴って連結ワイヤ５６が引っ張られてシートクッション１２がシート後方へ移動する。
【００３４】
なお、このときには、連結ワイヤ５６にテンションワイヤ５８を介してテンションスプリング６２の引っ張り力が作用しているので、連結ワイヤ５６の弛みが防止されている。従って、シートバック１４の回動動作に連動してシートクッション１２がスムーズにシート後方へ移動する。
【００３５】
そして、図１に示される如く、シートバック１４を起立した状態とすると、シートクッション１２がシート後方へ最も後退した位置に移動し、ピン２０がロックレバー２６の係止部２８に係止される。このように、本実施形態の車両用シート１０では、シートバック１４をシート後方側へ回動させて起立させるだけで、シートクッション１２が連動してシート後方へ移動し、元の位置に保持される。そして、これにより、車両用シート１０がシートモードに変換されて、乗員が車両用シート１０に着座可能となる。
【００３６】
次に、本発明の一実施形態に係る車両用シート１０の作用及び効果について説明する。
【００３７】
以上詳述したように、本実施形態に係る車両用シート１０では、シートバック１４が、上述の如く、第二リンク部材３６及び第三リンク部材３８のシート後方側（Ｒ３方向、Ｒ４方向）への回動によって、その回動中心（第二リンク部材３６及び第三リンク部材３８との連結部）のシート後方への移動を伴いながら前倒しされる。従って、シートバック１４を前倒してシートクッション１２とシートバック１４とを隣り合わせで連なる面とするために、シートクッション１２の前方への移動量を大きくしたり、シートクッション１２の前後長を短くしたりすることを防止できる。これにより、シートクッション１２のシート前方への移動量の低減とシートクッション１２のサイズの確保とを両立することが可能となる。
【００３８】
しかも、本実施形態に係る車両用シート１０では、上述の如く、シートバック１４を前倒ししたことに連動してシートクッション１２がシート前方へ移動される。従って、車両用シート１０を折り畳み形態とするためには、シートバック１４の前倒し操作を行うだけで良く、シートバック１４とシートクッション１２の両方を操作する必要が無い。このように、本実施形態に係る車両用シート１０では、車両用シート１０を折り畳み形態とするための操作性に優れる。
【００３９】
また、本実施形態に係る車両用シート１０では、上述の如く、シートバック１４の回動に連動してシートバック１４を前後させることができ、折り畳み形態と着座形態との切替操作も容易に行うことが可能である。
【００４０】
また、本実施形態に係る車両用シート１０では、車両用シート１０を折り畳み形態とするためのロック解除機構３２が、上述の如く、フレーム部材１８の後方部に設けられ、荷室７２側（例えば、図示しない背面ドア開口部）から手の届く位置に配置されている。従って、荷室７２側からのロック解除機構３２の操作も容易である。
【００４１】
さらに、本実施形態に係る車両用シート１０では、シートバック１４を前倒しして車両用シート１０を折り畳み形態としたときに、シートクッション１２及びシートバック１４で形成される連なる平面４０上に展開ボード４２を展開することができる。これにより、よりフラットで安定した荷室スペースを確保することが可能となる。
【００４２】
また、本実施形態に係る車両用シート１０では、シートクッション１２及びシートバック１４を前後に配置してフラットにすることができるので、サイドウィンドウ側に跳ね上げ式の車両用シートのようにサイドウィンドウ側の視界を妨げることが無く、ローディングハイトの嵩上げ量も最小限に抑えることができ、フラット化された車両用シート１０を含む荷室７２への荷物の載せ下ろしも容易である。
【００４３】
また、本実施形態に係る車両用シート１０では、上述のように、シートクッション１２のサイズを確保しつつ、シートクッション１２及びシートバック１４を前後に配置してフラットにできるので、車両用シート１０の快適性と荷室スペースの拡大を両立させることができる。
【図面の簡単な説明】
【００４４】
【図１】本発明の一実施形態に係る車両用シートの全体構成を示す側面図である。
【図２】本発明の一実施形態に係る車両用シートの動作説明図である。
【図３】本発明の一実施形態に係る車両用シートの動作説明図である。
【図４】本発明の一実施形態に係る車両用シートの動作説明図である。
【図５】本発明の一実施形態に係る車両用シートの底面図である。
【符号の説明】
【００４５】
１０  車両用シート
１２  シートクッション
１４  シートバック
１６  第一リンク部材（支持部材）
１８  フレーム部材（車体フロア部の一部）
３４  ワイヤ（連動機構の一部）
３６  第二リンク部材（リンク部材）
３８  第三リンク部材（リンク部材）
４０  平面（連なる面）
４２  展開ボード
４６  結合ブラケット（連動機構の一部）
４８  スライドワイヤ（連動機構の一部）
５０  プーリ（連動機構の一部）
５２  テンションスプリング（付勢部材、連動機構の一部）
５４  プーリ（連動機構の一部）
５６  連結ワイヤ（連動機構の一部）
５８  テンションワイヤ（連動機構の一部）
６０  結合部（連動機構の一部）
６２  テンションスプリング（連動機構の一部）
７０  車体フロア（車体フロア部の一部）
【図１】
2007313977.tif 000003
【図２】
2007313977.tif 000004
【図３】
2007313977.tif 000005
【図４】
2007313977.tif 000006
【図５】
2007313977.tif 000007
【手続補正書】
【提出日】平成19年4月6日(2007.4.6)
【手続補正１】
【補正対象書類名】特許請求の範囲
【補正対象項目名】請求項１
【補正方法】変更
【補正の内容】
【請求項１】
車体フロア部に支持部材を介してシート前方へ移動自在に支持されたシートクッションと、
一端側が前記車体フロア部に回動自在に連結されたリンク部材の他端側が回動自在に連結され、起立姿勢と、前記リンク部材の前記車体フロア部との連結部を支点としたシート後方側への回動を伴いながらシート前方へ前倒しされた前倒し姿勢とを取り得ると共に、前倒し時にシート前方へ移動した前記シートクッションと隣り合わせで連なる面を形成可能なシートバックと、
前記シートバックの前倒し動作に連動して前記シートクッションをシート前方へ移動させる連動機構と、
を備えたことを特徴とする車両用シート。
【手続補正２】
【補正対象書類名】明細書
【補正対象項目名】０００５
【補正方法】変更
【補正の内容】
【０００５】
前記課題を解決するために、請求項１に記載の車両用シートは、車体フロア部に支持部材を介してシート前方へ移動自在に支持されたシートクッションと、一端側が前記車体フロア部に回動自在に連結されたリンク部材の他端側が回動自在に連結され、起立姿勢と、前記リンク部材の前記車体フロア部との連結部を支点としたシート後方側への回動を伴いながらシート前方へ前倒しされた前倒し姿勢とを取り得ると共に、前倒し時にシート前方へ移動した前記シートクッションと隣り合わせで連なる面を形成可能なシートバックと、前記シートバックの前倒し動作に連動して前記シートクッションをシート前方へ移動させる連動機構と、を備えたことを特徴とする。